(57)【要約】      （修正有）【課題】型抜きや製作時の作業効率を向上させ、また、シート材の材料無駄を最小限に抑えることのできる見出し付きクリアファイルを提供する。【解決手段】一連に型抜きされたクリアファイル用展開シート２２を組み立てて形成される。クリアファイル用展開シート２２は、表紙部２３と、該表紙部２３の端部に第１折り目２４を介して連設されるマチ部２５と、該マチ部２５の端部に第２折り目２６を介して連設される裏表紙部２７と、該裏表紙部２７の下端縁に第３折り目２８を介して連設される第１仕切りシート２９と、該第１仕切りシート２９の端部に第４折り目３０及び第５折り目３１を介して連設される第２仕切りシート３２と、該第２仕切りシート３２の端部に第６折り目３３を介して連設される第３仕切りシート３４とから構成される。【選択図】図３
0003169958.tif 000002
【実用新案登録請求の範囲】
【請求項１】
一連に型抜きされたクリアファイル用展開シートを組み立てて形成される見出し付きクリアファイルであって、
前記クリアファイル用展開シートは、
表紙部と、該表紙部の端部に第１折り目を介して連設されるマチ部と、該マチ部の端部に第２折り目を介して連設される裏表紙部と、該裏表紙部の下端縁に第３折り目を介して連設される第１仕切りシートと、該第１仕切りシートの端部に第４折り目及び第５折り目を介して連設される第２仕切りシートと、該第２仕切りシートの端部に第６折り目を介して連設される第３仕切りシートとから構成され、
前記第１仕切りシートは、自由端部側に第１見出し部が延出すると共に、前記第４折り目と第５折り目との間に前記マチ部に溶着する第１溶着片が設けられ、
前記第２仕切りシートは、自由端部側に第２見出し部が延出し、
前記第３仕切りシートは、自由端部側に第３見出し部が延出すると共に、端部側に前記マチ部に溶着する第２溶着片が設けられ、
前記第３仕切りシートを前記第６折り目に沿って外側に折り曲げ、前記第２仕切りシートを前記第４折り目及び第５折り目に沿って内側に折り曲げ、前記第１仕切りシートを前記第３折り目に沿って内側に折り曲げ、前記第１溶着片及び前記第２溶着片を前記マチ部に沿って溶着して形成したこと
を特徴とする見出し付きクリアファイル。
【請求項２】
前記第１見出し部、第２見出し部及び第３見出し部は、前記表紙部の自由端部と重なり合い、又は自由端部よりも外側に位置すること
を特徴とする請求項１に記載の見出し付きクリアファイル。
【考案の詳細な説明】
【技術分野】
【０００１】
本考案は、複数の収納部を備え、それぞれの収納部を仕切る仕切りシートごとに見出し部を有する見出し付きクリアファイルに関するものである。
【背景技術】
【０００２】
従来、複数の収納部を備えるクリアファイルとしては、図７及び図８に示す構成のものが知られている。このクリアファイル１は、矩形状の合成樹脂製のシート材を中央部２で二つ折りにして表紙部３ａと背表紙部３ｂとを備える外側シート３と、第１仕切りシート４と、第２仕切りシート５とから構成される。そして、外側シート３の内側に第１仕切りシート４と第２仕切りシート５とを重ね合わせて、下端部６を溶着してクリアファイル１が形成される。
【０００３】
外側シート３における表紙部３ａの端部には、所要高さの段部７が形成されている。また、第１仕切りシート４の端部には、段部７よりも短い高さの段部８が形成されている。第２仕切りシート５の端部には、段部８よりも短い高さの段部９が形成されている（図８参照）。
【０００４】
このように段部７、８、９が形成されることにより、クリアファイル１の見出し部１０、１１、１２が段差状に表れて、表側からそれぞれを区別して視認できることとなる（図７参照）。
【０００５】
また、第１仕切りシート４の下端縁は、図８における左側半分に所要幅の切欠部１３が形成されており、第２仕切りシート５の下端縁は、右側半分に所要幅の切欠部１４が形成されている。
【０００６】
このように切欠部１３、１４を形成する理由は、通常のシート材の溶着は１枚が約０．２ｍｍのシート材を、２〜３枚重ね合わせた約０．４〜０．６ｍｍ程度の厚さが限度なので、溶着する下端部６の厚さを限度内に調整するためである。
【０００７】
なお、実用新案登録第３０９５１０７号公報には、インデックス付きのクリアファイルが開示されており（特許文献１参照）、また、実用新案登録第３１５１４５７号公報には、中袋付きの付きのクリアファイルが開示されている（特許文献２参照）。
【先行技術文献】
【特許文献】
【０００８】
【特許文献１】実用新案登録第３０９５１０７号公報
【特許文献２】実用新案登録第３１５１４５７号公報
【考案の概要】
【考案が解決しようとする課題】
【０００９】
この従来例のクリアファイル１においては、外側シート３と第１仕切りシート４と第２仕切りシート５との３部材で構成されるので、それぞれの部材ごとに型抜き作業を行う必要があり、手間が掛かって作業効率が悪いという問題点を有している。
【００１０】
また、型抜きを行うと、その周囲に沿って５〜１０ｍｍ程度のシート材を破棄する必要があるので、部材数が多いと材料無駄が多く出るという問題点も有している。
【００１１】
更に、３部材を重ね合わせると共に位置合わせをして下端部６を溶着する作業は、手間が掛かって作業性が悪いという欠点も有している。
【００１２】
従って、従来例におけるクリアファイル１においては、型抜きや製作時の作業効率を向上させることと、材料無駄を少なくすることとに解決しなければならない課題を有している。
【課題を解決するための手段】
【００１３】
前記従来例の課題を解決するための本考案の要旨は、一連に型抜きされたクリアファイル用展開シートを組み立てて形成される見出し付きクリアファイルであって、前記クリアファイル用展開シートは、表紙部と、該表紙部の端部に第１折り目を介して連設されるマチ部と、該マチ部の端部に第２折り目を介して連設される裏表紙部と、該裏表紙部の下端縁に第３折り目を介して連設される第１仕切りシートと、該第１仕切りシートの端部に第４折り目及び第５折り目を介して連設される第２仕切りシートと、該第２仕切りシートの端部に第６折り目を介して連設される第３仕切りシートとから構成され、前記第１仕切りシートは、自由端部側に第１見出し部が延出すると共に、前記第４折り目と第５折り目との間に前記マチ部に溶着する第１溶着片が設けられ、前記第２仕切りシートは、自由端部側に第２見出し部が延出し、前記第３仕切りシートは、自由端部側に第３見出し部が延出すると共に、端部側に前記マチ部に溶着する第２溶着片が設けられ、前記第３仕切りシートを前記第６折り目に沿って外側に折り曲げ、前記第２仕切りシートを前記第４折り目及び第５折り目に沿って内側に折り曲げ、前記第１仕切りシートを前記第３折り目に沿って内側に折り曲げ、前記第１溶着片及び前記第２溶着片を前記マチ部に沿って溶着して形成したことである。
【００１４】
また、前記第１見出し部、第２見出し部及び第３見出し部は、前記表紙部の自由端部と重なり合い、又は自由端部よりも外側に位置すること、；
を含むものである。
【考案の効果】
【００１５】
本考案に係る見出し付きクリアファイルによれば、一連に型抜きされたクリアファイル用展開シートの１部材で構成されるので、従来例のように部材別の複数の型抜き作業を行う必要がなく、作業能率が向上する。
同様に、部材別の複数の型抜きを行わないので、シート材の材料無駄が最小限に抑えられる。
また、クリアファイル用展開シートを所定の折り目に沿って折り曲げて、溶着片をマチ部に溶着して組み立てが完了するので、作業が簡単で作業性が良好であるという種々の優れた効果を奏する。
【００１６】
第１見出し部、第２見出し部及び第３見出し部は、表紙部の自由端部と重なり合い、又は自由端部よりも外側に位置するので、特に、各見出し部が表紙部の自由端部よりも外側に位置する場合は、表紙部を閉じた状態でも各見出し部が視認できるという優れた効果を奏する。
【図面の簡単な説明】
【００１７】
【図１】本考案に係る見出し付きクリアファイル２１の表紙部２３を閉じた状態の正面図である。
【図２】本考案に係る見出し付きクリアファイル２１の表紙部２３を開いた状態の正面図である。
【図３】クリアファイル用展開シート２２の展開図である。
【図４】クリアファイル用展開シート２２の組立て手順を説明する展開図である。
【図５】クリアファイル用展開シート２２の組立て手順を説明する展開図である。
【図６】他の実施例を示す見出し付きクリアファイル２１の表紙部２３を閉じた状態の正面図である。
【図７】従来例に係るクリアファイル１の斜視図である。
【図８】従来例に係るクリアファイル１を、外側シート３と第１仕切りシート４と第２仕切りシート５とに分離して示した斜視図である。
【考案を実施するための形態】
【００１８】
次に、本考案の実施の形態について図面を参照しながら説明する。まず、図１及び図２において、符号２１は見出し付きクリアファイルを示し、この見出し付きクリアファイル２１は、一連に型抜きされたクリアファイル用展開シート２２（図３参照）を組み立てて形成される。
【００１９】
クリアファイル用展開シート２２は、柔軟性を有する透明又は半透明な合成樹脂製のシート、例えばポリプロピレン製のシートからなり、一枚の基材シートを一連に型抜きして形成される。
【００２０】
このクリアファイル用展開シート２２は、図３に示すように、表紙部２３と、表紙部２３の端部に第１折り目２４を介して連設されるマチ部２５と、マチ部２５の端部に第２折り目２６を介して連設される裏表紙部２７と、裏表紙部２７の下端縁に第３折り目２８を介して連設される第１仕切りシート２９と、第１仕切りシート２９の端部に第４折り目３０及び第５折り目３１を介して連設される第２仕切りシート３２と、第２仕切りシート３２の端部に第６折り目３３を介して連設される第３仕切りシート３４とから構成される。
【００２１】
表紙部２３と裏表紙部２７は、第１折り目２４又は第２折り目２６を介して開閉自在に形成され、当該第１折り目２４、第２折り目２６がヒンジの役目を果たす。
【００２２】
第１仕切りシート２９は、自由端部側に第１見出し部３５が延出する。また、第１仕切りシート２９は、端部の第４折り目３０と第５折り目３１との間に、溶着片折り目３６を介して縦長の第１溶着片３７が連設されている。第１溶着片３７の側部と上下両端部とには、それぞれ切れ目３８ａ、３８ｂ、３８ｃが連続して形成されている。この第１溶着片３７は、マチ部２５に沿って溶着する部位となる。
【００２３】
第２仕切りシート３２は、自由端部側に第２見出し部３９が延出する。また、第２仕切りシート３２の一方の側部４５と、表紙部２３の下端縁４６との間には、隙間部４７を有する。
【００２４】
第３仕切りシート３４は、自由端部側に第３見出し部４０が延出する。また、第３仕切りシート３４の端部側には、溶着片折り目４１を介して縦長の第２溶着片４２が連設されている。第２溶着片４２の一方の端部には、切れ目４８が形成されている。この第２溶着片４２は、マチ部２５に沿って溶着する部位となる。更に、第３仕切りシート３４と第１仕切りシート２９との境界部には、切れ目４４が形成されている。
【００２５】
このような構成のクリアファイル用展開シート２２は、第３仕切りシート３４を第６折り目３３に沿って外側に折り曲げ（図３及び図４参照）、第２仕切りシート３２を第４折り目３０及び第５折り目３１に沿って内側に折り曲げ（図４及び図５参照）、第１仕切りシート２９を第３折り目２８に沿って内側に折り曲げ（図５及び図２参照）、第１溶着片３７及び第２溶着片４２をマチ部２５に沿って溶着して、クリアファイル２１が形成される（図２参照）。
【００２６】
このように形成されるクリアファイル２１は、第１仕切りシート２９、第２仕切りシート３２及び第３仕切りシート３４のそれぞれの内側に、紙葉を挟持できる収納部がそれぞれ形成され、また、各仕切りシート２９、３２、３４の自由端部側には、それぞれ第１見出し部３５、第２見出し部３９、第３見出し部４０が延出する。
【００２７】
表紙部２３は、第１折り目２４を介して開閉自在に形成され、表紙部２３の閉成時には、表紙部２３の自由端部４３と、第１見出し部３５、第２見出し部３９及び第３見出し部４０とが重なり合う（図１参照）。
【００２８】
他の実施例としては図６に示すように、第１見出し部３５ａ、第２見出し部３９ａ及び第３見出し部４０ａを、表紙部２３の閉成時に自由端部４３よりも外側に位置するように延出して形成してもよい。この場合は、表紙部２３の閉成時に、各見出し部４９、５０、５１が表側から視認できることとなる。
【００２９】
以上のように構成される見出し付きクリアファイル２１は、一連に型抜きされたクリアファイル用展開シート２２の１部材で構成されるので、従来例のように部材別の複数の型抜き作業を行う必要がなく作業能率がよい。また、部材別の複数の型抜きを行わないので、シート材の材料無駄が最小限に抑えられる。更には、クリアファイル用展開シート２２を所定の折り目に沿って折り曲げて、第１溶着片３７、第２溶着片４２をマチ部２５に溶着して組み立てが完了するので、作業が簡単で作業性が良好である。
【産業上の利用可能性】
【００３０】
本考案の見出し付きクリアファイル２１は、各仕切りシート２９、３２、３４に、それぞれ各見出し部３５、３９、４０を有するが、この見出し部を有しないタイプのクリアファイルや、あるいは、見出し部に代えて目印状の突片を有するクリアファイルであってもよいことは勿論である。
【符号の説明】
【００３１】
１    クリアファイル
２    中央部
３    外側シート
３ａ  表紙部
３ｂ  背表紙部
４    第１仕切りシート
５    第２仕切りシート
６    下端部
７、８、９  段部
１０、１１、１２  見出し部
１３、１４  切欠部
２１  見出し付きクリアファイル
２２  クリアファイル用展開シート
２３  表紙部
２４  第１折り目
２５  マチ部
２６  第２折り目
２７  裏表紙部
２８  第３折り目
２９  第１仕切りシート
３０  第４折り目
３１  第５折り目
３２  第２仕切りシート
３３  第６折り目
３４  第３仕切りシート
３５、３５ａ  第１見出し部
３６  溶着片折り目
３７  第１溶着片
３８ａ、３８ｂ、３８ｃ  切れ目
３９、３９ａ  第２見出し部
４０、４０ａ  第３見出し部
４１  溶着片折り目
４２  第２溶着片
４３  自由端部
４４  切れ目
４５  側部
４６  下端縁
４７  隙間部
４８  切れ目
【図１】
0003169958.tif 000003
【図２】
0003169958.tif 000004
【図３】
0003169958.tif 000005
【図４】
0003169958.tif 000006
【図５】
0003169958.tif 000007
【図６】
0003169958.tif 000008
【図７】
0003169958.tif 000009
【図８】
0003169958.tif 000010